(57)【要約】【課題】円環状操作部を微小回転角度で回転操作することが可能で、回転操作の操作性に優れた据え置き型リモートコントロール送信機を提供する。【解決手段】回転操作する円環状操作部の回転操作面を、水平面に対して対して傾斜させ、指を鉛直方向に向けずに、円環状操作部を回転操作可能とする。また、回転操作面を筐体の載置面に対して傾斜させるので、回転操作面に作用する操作力の載置面に直交する分力により載置面に静止摩擦力が発生し、回転操作中に筐体が回転操作方向に移動しない。【選択図】図７
2010062684.tif 000002
【特許請求の範囲】
【請求項１】
底面を水平な載置面とした筐体と、
載置面と直交する中心軸周りで、筐体に回転自在に取り付けられる操作部と、
操作部の回転中心軸回りの回転角度を検出する回転検出手段と、
回転検出手段が検出した回転角度から、被制御機器の動作を制御する制御データを生成する操作信号生成手段と、
制御データをＲＦ信号により被制御機器へ送信するＲＦ送信手段とを備え、
操作部を回転操作する回転操作面が、前記回転中心軸周りのテーパー面に沿って形成されていることを特徴とする据え置き型リモートコントロール送信機。
【請求項２】
操作部が回転中心軸回りの円環状に形成されていることを特徴とする請求項１に記載の据え置き型リモートコントロール送信機。
【請求項３】
被制御機器を制御する複数の制御内容を表示する表示部と、入力操作により表示部に表示される複数の制御内容から、制御データで制御する特定の制御内容を選択する入力スイッチとが、円環状操作部の中心側開口に露出する筐体の平面に取り付けられることを特徴とする請求項２に記載の据え置き型リモートコントロール送信機。
【請求項４】
筐体は、それぞれ前記中心軸周りに円板状に形成され、底面が前記載置面となる大径円板部と、大径円板部の平面側上方に配置される小径円板部とを有し、
円環状操作部は、小径円板部の外周縁に沿って下向きに形成された第１リングガイド部と大径円板部の外周縁に沿って上向きに形成された第２リングガイド部との間に、前記中心軸回りで回転自在に取り付けられることを特徴とする請求項２に記載の据え置き型リモートコントロール送信機。
【請求項５】
大径円板部の外周縁に沿った平面から凹設された断面半円形の第１ガイド溝と、第１ガイド溝に対向する円環状操作部の底面に凹設された断面半円形の第２ガイド溝とから形成される円環状溝に、円環状溝に沿って摺動するように円弧状に屈曲された複数の可撓性スペーサと、互いが可撓性スペーサにより隔てられ、円環状溝内を転動する複数のボールを収容し、
大径円板部の第１ガイド溝と円環状溝内を転動する複数のボールとからなる第２リングガイド部と小径円板部の第１リングガイド部との間で、円環状操作部を中心軸回りに回転自在に案内することを特徴とする請求項４に記載の据え置き型リモートコントロール送信機。
【発明の詳細な説明】
【技術分野】
【０００１】
本発明は、被制御機器に制御データを送信して制御する据え置き型リモートコントロール送信機に関し、更に詳しくは、円環状操作部の回転操作で被制御機器を制御する据え置き型リモートコントロール送信機に関する。
【背景技術】
【０００２】
従来、ＤＶＤレコーダなどの映像再生機器を遠隔制御するリモートコントロール送信機として、ジョグダイヤルといわれる円環状操作部をケースへ回転自在に取り付け、ダイヤルキーの回転操作に応じて、ＤＶＤレコーダに記録された録画をコマ送り再生や変速再生制御するリモートコントロール送信機が知られている（特許文献１）。
【０００３】
このリモートコントロール送信機は、ジョグダイヤルの回転角度を検出する回転検出手段を備え、回転検出手段で検出したジョグダイヤルの回転角度に応じた制御データを生成して、赤外制御信号に含めて被制御機器であるＤＶＤレコーダへ送信し、制御データに従って録画のコマ送り再生制御を行っている。
【０００４】
また、ケースに複数の被制御機器と制御内容を選択する入力スイッチが取り付けられ、入力スイッチの入力操作で選択した被制御機器と制御内容に応じた制御データを、無線信号により選択した被制御機器へ送信し、制御データに従った制御を行うリモートコントロール送信機も知られている（特許文献２）。
【０００５】
【特許文献１】特開２００７−３６５０８号公報（請求項４、第３頁３６行乃至５０行、第４頁２６行乃至３２行、図１、図３）
【特許文献２】特開２００１−２４５３７１号公報（要約、第５頁７欄４９行乃至第６頁９欄９行、第１１頁２０欄２５行乃至３８行、図５）
【発明の開示】
【発明が解決しようとする課題】
【０００６】
しかしながら、特許文献１に示されるリモートコントロール送信機は、赤外制御信号を被制御機器へ向けて送信する必要があるために、ケースを片手で持つことが可能な縦長とし、その平面に取り付けられるジョグダイヤルをケースを握った親指などで回転操作が可能なように、ジョグダイヤルの取り付け位置や大きさを設定している。その結果、ジョグダイヤルの大きさは、ケースの短手方向幅より小さく、更に、手元を固定した指先で回転操作が可能なように、ジョグダイヤルーの外径を小さくせざるを得ず、ジョグダイヤルを微小回転角度で回転操作することができないという操作性に問題があった。
【０００７】
この問題を解決するために、特許文献２に示されるように、無線信号で被制御機器へ制御データを送信するリモートコントロール送信機とすれば、必ずしもケースを手に持って被制御機器へ向ける必要がないので、テーブルなどに配置する据え置き型とし、大型化したケースに外径が大径のジョグダイヤルを回転自在に取り付けることができる。しかしながら、従来のリモートコントロール送信機のように、回転操作面がケースの平面と平行であるジョグダイヤルは、操作者とリモートコントロール送信機との位置関係によっては、肘などを浮かせ、鉛直方向に保った指先を回転操作面に接しながら回転操作することとなるので、別の操作性の問題が生じる。一方、ジョグダイヤルの回転操作面を鉛直面に沿って形成すると、ケースの載置面と平行に回転操作による操作力を受けるので、ケースが移動し、回転操作面が指先から離れるので、回転操作ができないものであった。
【０００８】
以上の理由から、ジョグダイヤルは、回転操作による入力手段として適しているにもかかわらず、据え置き型のリモートコントロール送信機に用いられず、ケースを手に持って操作するリモートコントロール送信機に限られていた。
【０００９】
本発明は、このような従来の問題点を考慮してなされたものであり、円環状操作部を微小回転角度で回転操作することが可能で、回転操作の操作性に優れた据え置き型リモートコントロール送信機を提供することを目的とする。
【００１０】
また、据え置き型リモートコントロール送信機に、回転操作性に優れたジョグダイヤルを取り付けることが可能な据え置き型リモートコントロール送信機を提供することを目的とする。
【課題を解決するための手段】
【００１１】
上述の目的を達成するため、請求項１の据え置き型リモートコントロール送信機は、底面を水平な載置面とした筐体と、載置面と直交する中心軸周りで、筐体に回転自在に取り付けられる操作部と、操作部の回転中心軸回りの回転角度を検出する回転検出手段と、回転検出手段が検出した回転角度から、被制御機器の動作を制御する制御データを生成する操作信号生成手段と、制御データをＲＦ信号により被制御機器へ送信するＲＦ送信手段とを備え、操作部を回転操作する回転操作面が、前記回転中心軸周りのテーパー面に沿って形成されていることを特徴とする。
【００１２】
筐体の底面を載置面とする据え置き型であるので、操作部の大きさは、筐体を手で握りながら回転操作することを考慮せずに、微小回転操作が可能な直径を大径とした大きさとすることができる。
【００１３】
据え置き型としても、操作部を回転操作する回転操作面が、載置面に直交する回転中心軸周りのテーパー面に沿って形成されるので、回転操作する指を鉛直方向に向けながら回転移動させる必要がなく、容易に回転操作を行うことができる。
【００１４】
また、回転操作面は、鉛直方向に対して傾斜しているので、回転操作面を回転操作する操作力から載置面に直交する鉛直方向に働く分力が発生し、載置面に生じる静止摩擦力によって筐体は静止し、回転操作面が移動することなく回転操作を行うことができる。
【００１５】
また、制御データをＲＦ信号により被制御機器へ送信するので、送信手段の周囲に操作部を配置しても制御データの送信は遮られず、送信手段の取り付け位置や被制御機器の設置方向を考慮せずに、外径が大径とした操作部を筐体に取り付けることができる。
【００１６】
請求項２の据え置き型リモートコントロール送信機は、操作部が回転中心軸回りの円環状に形成されていることを特徴とする。
【００１７】
請求項３の据え置き型リモートコントロール送信機は、被制御機器を制御する複数の制御内容を表示する表示部と、入力操作により表示部に表示される複数の制御内容から、制御データで制御する特定の制御内容を選択する入力スイッチとが、円環状操作部の中心側開口に露出する筐体の平面に取り付けられることを特徴とする。
【００１８】
筐体に取り付ける入力スイッチと表示部を、円環状操作部内の筐体に取り付けるので、円環状操作部を筐体の平面の輪郭全体を覆う大きさとすることができ、微小回転操作が容易な大径の円環状操作部とすることができる。
【００１９】
また、制御内容を表示する表示部が、回転操作を行う円環状操作部の中心側開口内に取り付けられるので、表示部の表示を見ながら回転操作を行うことかできる。
【００２０】
請求項４の据え置き型リモートコントロール送信機は、筐体が、それぞれ前記中心軸周りに円板状に形成され、底面が前記載置面となる大径円板部と、大径円板部の平面側上方に配置される小径円板部とを有し、円環状操作部は、小径円板部の外周縁に沿って下向きに形成された第１リングガイド部と大径円板部の外周縁に沿って上向きに形成された第２リングガイド部との間に、中心軸回りで回転自在に取り付けられることを特徴とする。
【００２１】
円環状操作部は、大径円板部と小径円板部の外周縁に沿って案内されるので、回転中心に円環状操作部を支持する回転軸を配置することなく、筐体に回転自在に取り付けられる。
【００２２】
請求項５の据え置き型リモートコントロール送信機は、大径円板部の外周縁に沿った平面から凹設された断面半円形の第１ガイド溝と、第１ガイド溝に対向する円環状操作部の底面に凹設された断面半円形の第２ガイド溝とから形成される円環状溝に、円環状溝に沿って摺動するように円弧状に屈曲された複数の可撓性スペーサと、互いが可撓性スペーサにより隔てられ、円環状溝内を転動する複数のボールを収容し、大径円板部の第１ガイド溝と円環状溝内を転動する複数のボールとからなる第２リングガイド部と小径円板部の第１リングガイド部との間で、円環状操作部を中心軸回りに回転自在に案内することを特徴とする。
【００２３】
円環状溝内を転動する複数のボールは、互いに円環状溝内を摺動する可撓性スペーサにより、中心軸回りで一定の間隔が隔てられるので、円環状操作部が分散して支持される。
【００２４】
可撓性スペーサは、円環状溝に拘束され、円環状溝に沿った円弧状に自然に屈曲される。
【発明の効果】
【００２５】
請求項１の発明によれば、筐体を握る指で操作部を回転操作するリモートコントロール送信機に比べて、筐体の底面を載置面とした据え置き型のリモートコントロール送信機であるので、筐体を回転操作する手で持つ必要がなく、操作部の外径を大径として、微小回転角度の回転操作を行うことができる。
【００２６】
また、据え置き型のリモートコントロール送信機であっても、操作部の回転操作面を容易に回転操作することができる。
【００２７】
更に、赤外線により制御データを送信する送信手段と比べて、被制御機器に送信方向を向ける必要がないので、いずれの方向からも、操作部の回転操作面を回転操作し、被制御機器を制御できる。
【００２８】
請求項３の発明によれば、回転操作する円環状操作部の中心に、表示部が配置されるので、制御内容に合わせて、表示部に円環状操作部の回転操作方向や回転角度を表示することができ、表示部の表示により違和感なく回転操作を案内することができる。
【００２９】
請求項４の発明によれば、円環状操作部の回転中心に回転軸を設けないので、回転軸と干渉することなく、円環状操作部の中心側開口内に表示部と入力スイッチを取り付けることができる。
【００３０】
請求項５の発明によれば、大径円板部若しくは円環状操作部に、円環状溝内にボールを位置決めする隔壁を形成することなく、多数のボールを円環状溝の円周方向に沿って分散配置できる。
【発明を実施するための最良の形態】
【００３１】
以下、本発明の一実施の形態に係る据え置き型リモートコントロール送信機１を、図１乃至図６を用いて説明する。図１は、据え置き型リモートコントロール送信機１の斜視図、図２は、同縦断面図、図３は、据え置き型リモートコントロール送信機１の上方から見た分解斜視図、図４は、同下方から見た分解斜視図、図５は、大径円板部２２のリングガイド部を示す要部拡大斜視図である。
【００３２】
図３、図４に示すように、据え置き型リモートコントロール送信機１は、小径円板部２１と大径円板部２２とから構成される絶縁性のケース２と、小径円板部２１と大径円板部２２間に挟まれて取り付けられる円形のプリント配線基板３と、リング状のジョグダイヤル４１と作動リング４２とから構成される円環状操作部４と、小径円板部２１の平面側に操作摘みを臨ませた３個の入力スイッチ１１、１２、１３及び液晶表示素子５とを備えている。
【００３３】
小径円板部２１は、合成樹脂で円板状に形成されたもので、その底面（図２において下面）側から液晶表示素子５が取り付けられ、平面側に連通する長方形状の開口内に液晶表示素子５の表示画面が臨んでいる。また、この長方形状の開口の一側に沿って、３個の入力スイッチ１１、１２、１３の各操作摘み１１ａ、１２ａ、１３ａが平面側に出没自在に取り付けられ、底面側にプリント配線基板３を取り付けると、それぞれプリント配線基板３に実装される入力スイッチ１１、１２、１３上となる部位に取り付けられる。
【００３４】
小径円板部２１の外周縁部２１ａは、円形の輪郭で、その外周縁部２１ａの底面側のやや中心寄りに、外周縁部２１ａの輪郭に沿った９０度間隔の４カ所の位置から、第１リングガイド部となる円弧状のガイド片２１ｂが垂設されている（図４参照）。ジョグダイヤル４１の中心開口４１ａが形成される内周縁の円筒形内側面は、円形の段部４１ｂを介して上側の内側面の内径が、小径円板部２１の外周縁部２１ａの外径よりわずかに長く、下側の内側面の内径が外周縁部２１ａの外径より短く、４片のガイド片２１ｂで形成される円の直径よりわずかに長くなっている。これにより、中心開口４１ａへ上方からを組み入れたジョグダイヤル４１は、段部４１ｂに外周縁部２１ａが当接して、小径円板部２１に対して相対的に上方への移動が規制されるとともに、上側の内側面と下側の内側面が、それぞれ小径円板部２１の外周縁部２１ａとガイド片２１ｂに沿って摺動し、回動自在に案内される。
【００３５】
小径円板部２１の底面には、更に、４カ所の位置に、円筒内面にネジ孔が螺刻されたネジ受け突起２３が垂設され、このネジ受け突起２３にプリント配線基板３と大径円板部２２を挿通させたネジ１４をネジ止めする。ネジ受け突起２３の外径は、プリント配線基板３の４カ所に穿設された挿通孔３１の内径より長く、従って、ネジ止めされる小径円板部２１の底面とプリント配線基板３間の間隔は、ネジ受け突起２３の高さに等しく、この高さは、プリント配線基板３上に実装される各回路部品の高さより高く、入力スイッチ１１、１２、１３が、押し下げ操作していない各操作摘み１１ａ、１２ａ、１３ａの底面に接触する高さとなっている。
【００３６】
プリント配線基板３の平面には、上述した入力スイッチ１１、１２、１３の他、液晶表示素子５のドライバーを兼ねた図６に示すマイコン７、ＲＦ通信モジュール８及びレバー式検出スイッチ９が実装されている。レバー式検出スイッチ９は、プリント配線基板３の円形の輪郭に沿って可動する可動端子９ａが、プリント配線基板３の周縁から半径方向の外方に突出するように、プリント配線基板３の周縁に実装されている。また、プリント配線基板３の底面には、平面側の電源パターンに一端を接続させた一対のワイヤコンタクト１０が取り付けられている。
【００３７】
大径円板部２２は、合成樹脂で、小径円板部２１の外径より長い外径の円板状に形成され、円形の外周に沿った外周縁部２２ａの平面に、断面が半円形状の下ガイド溝２６が凹設されている。図３と図９に示すように、この下ガイド溝２６には、下ガイド溝２６内を転動する８個のボール１７と、ボール１７間の間隔を保持する円弧状のスペーサ１８が収容されている。
【００３８】
スペーサ１８は、大径円板部２２を形成する合成樹脂との摩擦力が少ないシリコンなどの可撓性材料によって細長の線状に形成されたもので、リング状の下ガイド溝２６に沿って収容されることにより、下ガイド溝２６に沿った円弧状に屈曲する。外周縁部２２ａの下ガイド溝２６とボール１７は、ジョグダイヤル４１を中心軸回りに回動自在に案内する第２リングガイド部を構成し、下ガイド溝２６は、ジョグダイヤル４１の対向部位に凹設される後述の上ガイド溝２７と組み合わせてボール１７を転動させる円環状溝を形成する。
【００３９】
大径円板部２２の平面側中央には、直方体状のバッテリー収容部２４が一体に形成されている。バッテリー収容部２４内のバッテリー収容凹部２４ａは、底面側に開口し、底面側から４本のバッテリー１６（図２参照）を収容するようになっている。バッテリー収容部２４の２カ所の部位には、大径円板部２２の平面側にプリント配線基板３を積層した際に、上記一対のワイヤコンタクト１０の先端を、バッテリー収容凹部２４ａ内に臨ませるコンタクト挿通孔２７が穿設され、バッテリー収容凹部２４ａに収容するバッテリー１６の＋電極と−電極を接続させている。これにより、バッテリー収容凹部２４ａ内で直列に接続される４本のバッテリー１６の直流電源が、コンタクト１０とプリント配線基板３の電源パターンを介して、プリント配線基板３に実装される各回路部品に供給される。
【００４０】
また、バッテリー収容部２４の周囲４カ所の位置には、上述の４本のネジ１４を挿通させる挿通孔２５が大径円板部２２の底面まで連通して穿設されている。挿通孔２５の底面側の開口は、バッテリー収容凹部２４ａの開口とともに、底面側にネジ止めされるバッテリーカバー１５（図２参照）で覆われる。
【００４１】
ジョグダイヤル４１は、浅皿状の頂部を円形の中心開口４１ａで開口し、上述したように、中心開口４１ａに面する内周縁側の内側面は、段部４１ｂを介して上側の内側面の内径が、下側の内側面の内径より長く、小径円板部２１の外周縁部２１ａとガイド片２１ｂと係合することによって、ジョグダイヤル４１を、小径円板部２１の上方へ抜け止めし、かつ、小径円板部２１の中心軸回りで、回動自在に案内している。
【００４２】
また、ジョグダイヤル４１の外径は、大径円板部２２の外径に略等しく、外周縁部の底面には、大径円板部２２の下ガイド溝２６と対称形状の断面半円形の上ガイド溝２７が円形の外周縁に沿って凹設されている。これにより、同一中心軸線上の大径円板部２２上にジョグダイヤル４１を載置すると、上ガイド溝２７と下ガイド溝２６が対向して円環状溝が形成され、円環状溝内に複数のボール１７とスペーサ１８が転動若しくは摺動自在に収容され、ジョグダイヤル４１が大径円板部２２の中心軸回りで回動自在に案内される。
【００４３】
このように、ジョグダイヤル４１は、大径円板部２２の外周縁部２２ａの第２リングガイド部と小径円板部２１の外周縁部２１ａの輪郭に沿った第１リングガイド部との間で、鉛直方向の中心軸回りで回動自在に案内されるので、ジョグダイヤル４１の中心開口４１ａの輪郭となる小径の内周縁から大径の外周縁間のリング状の回転操作面４１ｃは、回動中心軸から外側に向かって下方に傾斜する切頭円錐状に形成されている。
【００４４】
本実施の形態に係る据え置き型リモートコントロール送信機１は、大径円板部２２の底面を載置面としてテーブルなどに載置して使用するもので、入力操作の際に、据え置き型リモートコントロール送信機１が移動しないように、大径円板部２２の底面に、１２０度間隔の３カ所の位置に滑り止めパッド１７が固着されている。加えて、本実施の形態では、ジョグダイヤル４１を回転操作する回転操作面４１ｃを、鉛直方向に対して傾斜させているので、回転操作面４１に加わる操作力の分力が載置面と直交方向に作用し、載置面に発生する静止摩擦力によって、回転操作中にケース２が移動することがない。
【００４５】
回転操作面４１ｃの平面には、中心軸回りの等角度間隔で、回転操作の滑り止めとする円形の滑り止め凹部２８が凹設され、また、ジョグダイヤル４１の底面には、中心軸回りの９０度間隔で位置決め円筒部２９が一体に垂設されている。
【００４６】
作動リング４２は、プリント配線基板３の外径よりわずかに大きい内径の円筒部４２ａと、円筒部４２ａの底面から外側に向けて水平方向に突設されたフランジ部４２ｃとから形成される。円筒部４２ａとフランジ部４２ｃとの間には、中心軸回りの等角度間隔で、複数のブラケット片１９が起立して固着され、各ブラケット片１９の先端は、円筒部４２ａを貫通する動作突起１９ａとなっている。
【００４７】
ジョグダイヤル４１の位置決め円筒部２９に対向する作動リング４２のフランジ部４２ｃ平面上には、位置決め円筒部２９に嵌入する位置決め突起３０が立設され、作動リング４２は、位置決め突起３０を位置決め円筒部２９へ嵌入した後、両者を接着剤で固着することによって、ジョグダイヤル４１の回転操作面４１の底面側に固定される。
【００４８】
上述のように構成された据え置き型リモートコントロール送信機１の組立は、底面側に作動リング４２を固定したジョグダイヤル４１を、小径円板部２１と大径円板部２２との間に挟んだ状態で、図２、図３に示すように、４本のネジ１４を、大径円板部２２の底面側から、大径円板部２２挿通孔２５とプリント配線基板３の挿通孔３１に挿通し、小径円板部２１のネジ受け突起２３にネジ止めして一体化する。
【００４９】
ネジ止めして組み立てた状態では、上方から順に、小径円板部２１、ジョグダイヤル４１、作動リング４２、プリント配線基板３及び大径円板部２２が、同一中心軸回りで上下に配置され、図２に示すように、ジョグダイヤル４１は、小径円板部２１の第１リングガイド部と大径円板部２２の第２リングガイド部により、中心軸回りで回動自在に案内される。
【００５０】
また、プリント配線基板３上に実装されたレバー式検出スイッチ９の周囲に、作動リング４２の円筒部４２ａが回動自在に配置され、レバー式検出スイッチ９の可動端子９ａは、円筒部４２ａ内に突出する動作突起１９ａと同一円周上に配置されるとともに、上述したように、入力スイッチ１１、１２、１３の各操作摘み１１ａ、１２ａ、１３ａは、プリント配線基板３に実装された入力スイッチ１１、１２、１３のアクチュエータに接触している。
【００５１】
図６は、据え置き型リモートコントロール送信機１を構成する回路部品を示すブロック図であり、マイコン７に、レバー式検出スイッチ９、入力スイッチ１１、１２、１３、液晶表示素子５及びＲＦ通信モジュール８が接続されている。
【００５２】
レバー式検出スイッチ９は、ジョグダイヤル４１の回転操作による回転方向と回転角度を検出する回転検出素子で、ジョグダイヤル４１が一方向（例えば図６のＡ方向）に回転操作されると、回転方向に移動する動作突起１９ａがレバー式検出スイッチ９の可動端子９ａに当接する毎に、可動端子９ａと回転方向にある固定端子９ｂが接触し、可動端子９ａと固定端子９ｂ間の接触によるパルス信号が発生する。一方、ジョグダイヤル４１が逆方向（例えば図６のＢ方向）に回転操作されると、同様に、可動端子９ａと回転方向にある固定端子９ｃが接触し、可動端子９ａと固定端子９ｃ間の接触によるパルス信号が発生する。マイコン７は、レバー式検出スイッチ９から入力されるパルス信号が、可動端子９ａと固定端子９ｂ間から入力されれば、Ａ方向の回転操作と、可動端子９ａと固定端子９ｃ間から入力されれば、Ｂ方向の回転操作と判別する。また、動作突起１９ａは、ジョグダイヤル４１の中心軸回りに等角度間隔で設けられているので、入力されるパルス信号の発生回数により、ジョグダイヤル４１の回転角度が、所定単位時間内のパルス信号の発生回数により、回転速度が検出される。
【００５３】
尚、可動端子９ａは、中立位置へ復帰する弾性を有し、動作突起１９ａは可動端子９ａから受ける弾性力に抗して可動端子９ａをいずれかの固定端子９ｂ、９ｃへ接触させ、動作突起１９ａが可動端子９ａを乗り越えると、可動端子９ａから受ける弾性力が解かれるので、操作者は、ジョグダイヤル４１を通して、動作突起１９ａが可動端子９ａを乗り越える毎にクリック感を受け、回転操作量（回転操作角度）を含む回転操作感を得ることができる。
【００５４】
マイコン７は、レバー式検出スイッチ９の上記回転操作を表すパルス信号と、入力スイッチ１１、１２、１３の操作信号の入力があると、その入力に応じて液晶表示素子５に所定の表示を表示制御し、ＲＦ通信モジュール８を通信動作制御する。ここでは、入力スイッチ１１の操作信号を入力すると、そのときに、液晶表示素子５に表示されるカーソルで指示される被制御機器、被制御機器の制御動作などの制御内容を選択し、入力スイッチ１２の操作信号を入力すると、制御している被制御機器とＲＦ通信モジュール８により無線通信を行って、その動作状態を液晶表示素子５へ表示し、入力スイッチ１３の操作信号を入力すると、入力スイッチ１１で選択した被制御機器や被制御機器の制御動作を表す制御内容をキャンセルする。また、レバー式検出スイッチ９のパルス信号から、液晶表示素子５に表示されるカーソルを移動し、入力スイッチ１１により被制御機器を制御する制御動作が選択されると、パルス信号の発生回数に応じて被制御機器を制御する制御データを生成し、ＲＦ通信モジュール８へ出力する。
【００５５】
ＲＦ通信モジュール８は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）に準拠し、非同期双方向通信でマイコン７と接続している。また、ＲＦ通信モジュール８は、無線通信規格ＩＥＥＥ８０２．１５．４に準拠する仕様で、予めペアリングにより特定される被制御機器と無線通信を行うものであり、マイコン７からの命令を受けて、被制御機器の動作状態を受信し、マイコン７から被制御機器の動作を制御する制御データを受信すると、無線通信により制御データを被制御機器へ送信し、制御データに従った動作を実行させる。
【００５６】
以下、上述のように構成された据え置き型リモートコントロール送信機１の動作を、図７乃至図９を用いて説明する。据え置き型リモートコントロール送信機１を用いていない待機状態では、バッテリー１６の消耗を最小限とするために、マイコン７は、入力スイッチ１１、１２、１３及びレバー式検出スイッチ９からの入力を検出するだけのスリープモードで動作している。
【００５７】
入力スイッチ１１、１２、１３及びレバー式検出スイッチ９のいずれかの入力を検出した初期状態では、液晶表示素子５に図８の１０１で示すメインメニューが表示され、被制御機器の一つであるＴＶの表示位置に反転で表されるカーソル３１が表示されている。メインメニューは、制御する被制御機器を選択する入力モードであり、被制御機器の選択は、図７に示すように、ジョグダイヤル４１の回転操作面４１ｃに形成された滑り止め凹部２８に指を押し当てて中心軸回りに回転させることにより、液晶表示素子５に表示されるカーソル３１を移動させる。
【００５８】
ジョグダイヤル４１の回転操作は、回転操作面４１ｃが水平面に対して傾斜しているので、上方からも側方からも操作部を触ることができる。また、肘を浮かせて指を下向きとしたまま回転操作させるような煩わしさがなく、更に、回転操作面４１ｃをケース２の水平な載置面に対して傾斜させているので、回転操作面４１ｃに作用する操作力の載置面に直交する分力が発生するので、静止摩擦力が増加し、ケース２が操作方向に移動しない。従って回転操作面４１ｃの滑り止め凹部２８に指を押し当てて容易に回転操作を行うことかできる。
【００５９】
カーソル３１は、ジョグダイヤル４１の回転方向に一致するように液晶表示素子５の表示画面上を移動し、例えば、ジョグダイヤル４１を図７のＡ方向（反時計回り）へ回転操作すると、マイコン７に可動端子９ａと固定端子９ｂ間から複数のパルス信号が連続して入力され、マイコン７は、Ａ方向の回転操作を検出し、ＴＶの表示位置にあるカーソル３１を、１０２に示すＡ方向と同一方向のＡＶアンプの表示位置へ移動させる。
【００６０】
同様の回転操作で制御しようとする被制御機器の表示位置へカーソル３１を移動させた後、入力スイッチ１１を入力操作する。ここでは、ＴＶの音量を操作することとし、メインメニューでＴＶの表示位置へカーソル３１を移動し（１０１）、入力スイッチ１１を入力操作すると、ＴＶメニューの入力モード（２０１）に液晶表示素子５の表示画面が切り替わる。カーソル３１は、メインメニューと同様にジョグダイヤル４１の回転操作方向に一致して移動し、音量を操作するために、ジョグダイヤル４１をＡ方向に回転操作し、ボリュームの表示位置にカーソル３１を移動させた状態で（２０２）、入力スイッチ１１を入力操作する。これにより、マイコン７は、ＴＶの音量を制御する制御内容が選択された制御モードに移行する。尚、ＴＶメニューを表示するいずれかの表示画面で、入力スイッチ１３を入力すると、１階層戻ったメインメニューの表示画面（１０１）へ戻る。
【００６１】
カーソル３１がボリュームの表示位置にある（２０２）ときに、入力スイッチ１１を入力操作すると、ボリューム調整の入力モード（３０１）に液晶表示素子５の表示画面が切り替わる。ボリューム調整の入力モード（３０１）では、ボリュームのＵｐ若しくはＤｏｗｎ制御の制御内容と共に、これらの制御を行うためのジョグダイヤル４１の回転操作方向が、ジョグダイヤル４１の中心側に配置された液晶表示素子５によって矢印で表示される。すなわち、制御内容（ボリュームのＵｐ若しくはＤｏｗｎ）の制御データを生成するジョグダイヤル４１の回転操作方向が、ジョグダイヤル４１の中心側で同一中心軸回りの矢印で案内されるので、操作者は、制御内容についてジョグダイヤル４１の回転操作方向を誤ることなく、回転操作することができる。ジョグダイヤル４１をＡ方向へ回転操作するとＴＶへ音量を下げる制御制御データがＴＶに送信され、Ａ方向の回転角度に応じて、音量が減少するとともに、音量を表示する黒三角マークが減少する表示に移行する（３０２乃至３０４）。また、ジョグダイヤル４１をＢ方向へ回転操作するとＴＶへ音量を上げる制御が行われ、Ｂ方向の回転角度に応じて、音量が増大するとともに、音量を表示する黒三角マークが増加する表示に移行する（３０５乃至３０７）。
【００６２】
次に、ブラインドの遮光制御を行うものとすると、図８の１０１で示すメインメニューから、ジョグダイヤル４１をＡ方向、Ｂ方向のいずれかに回転操作し、図９のブラインドの表示位置へカーソル３１を移動させ（１０３）、入力スイッチ１１を入力操作する。液晶表示素子５の表示画面は、ブラインドメニューの入力モード（２０３）に切り替わり、この入力モードでカーソル３１を遮光調整に移動させて、入力スイッチ１１を入力操作すると、ブラインドを開閉する方向が図示させたブラインド遮光調整の入力モード（３２０）が表示される。同時に、マイコン７は、ブラインド遮光調整を制御する制御内容が選択された制御モードに移行する。
【００６３】
ブラインド遮光調整の入力モード（３２０）では、ブラインドを側方からみた開閉状態が液晶表示素子５に表示され、この開閉方向は、ジョグダイヤル４１の回転操作によって開閉制御する方向に一致させている。すなわち、ジョグダイヤル４１をＡ方向の反時計回りに回転操作すると、ブラインドは右側から見て反時計回りに回転制御され、ブラインド間の隙間が狭まって遮光が進み、Ｂ方向の時計回りに回転操作すると、ブラインドは時計回りに回転制御され、ブラインド間の隙間が広がり採光が進む。
【００６４】
また、ジョグダイヤル４１の回転角度に比例して、ブラインドは回転制御され、ジョグダイヤル４１をＡ方向へ回転操作すると、その回転角度に応じてブラインドは左回りに回転制御され、液晶表示素子５の表示は、ブラインドが徐々に左回りに回転する表示の方向（図９の３１７から３２３の方向）に移行する。逆に、Ｂ方向に回転操作すると、その回転角度に応じてブラインドは右回りに回転制御され、液晶表示素子５の表示は、ブラインドが徐々に右回りに回転する表示の方向（図９の３２３から３１７の方向）に移行する。
【００６５】
本実施の形態に係るジョグダイヤル４１は、ケース２の平面の輪郭全体を覆う大きさで、多数の動作突起１９ａを中心軸回りに等角度間隔で取り付けることができるとともに、外径が大径のジョグダイヤル４１とすることにより微小角度の回転操作が容易になるので、ジョグダイヤル４１の微小回転角度をマイコン７により検出して、ブラインドのきめ細かい回転制御を、液晶表示素子５にその状態を表示させながら、行うことができる。
【００６６】
上述の実施の形態では、ジョグダイヤル４１の回転操作面４１ｃを、中心から外側に向かって下方に傾斜するテーパー面に沿って形成するものであったが、傾斜面であれば、外側から中心に向かって下方に傾斜するすり鉢状のテーパー面に沿って形成するものであってもよい。
【００６７】
また、上述の実施の形態では、入力スイッチ１１、１２、１３や液晶表示素子５を円環状操作部４の中心開口４１ａに臨むケース２に取り付けているが、円環状操作部４とは別の位置に取り付けてもよい。
【００６８】
更に、回転操作する操作部は、必ずしも円環状に形成する必要はなく、回転中心軸側に開口を設けず、ケース２の平面全体を覆う輪郭形状としてもよい。
【産業上の利用可能性】
【００６９】
本発明は、円環状操作部の回転操作により、被制御機器を制御する据え置き型リモートコントロール送信機に適している。
【図面の簡単な説明】
【００７０】
【図１】本発明の一実施の形態に係る据え置き型リモートコントロール送信機１の斜視図である。
【図２】据え置き型リモートコントロール送信機１の縦断面図である。
【図３】据え置き型リモートコントロール送信機１の各部を上方から見た分解斜視図である。
【図４】据え置き型リモートコントロール送信機１の各部を下方から見た分解斜視図である。
【図５】大径円板部２２のリングガイド部を示す要部拡大斜視図である。
【図６】据え置き型リモートコントロール送信機１の回路構成を示すブロック図である。
【図７】据え置き型リモートコントロール送信機１の使用状態を示す斜視図である。
【図８】ＴＶの音量制御の際に液晶表示素子５に表示される表示を示す説明図である。
【図９】ブラインドの遮光制御の際に液晶表示素子５に表示される表示を示す説明図である。
【符号の説明】
【００７１】
１      据え置き型リモートコントロール送信機
２      ケース（筐体）
４      円環状操作部
６      液晶表示素子（表示部）
７      マイコン（操作信号生成手段）
８      ＲＦ通信モジュール（送信手段）
９      レバー式検出スイッチ（回転検出手段）
１１    入力スイッチ
１２    入力スイッチ
１３    入力スイッチ
１７    ボール（第２リングガイド部）
２１    小径円板部
２１ｂ  ガイド片２１ｂ（第１リングガイド部）
２２    大径円板部
２６    下ガイド溝（第２リングガイド部）
４１    ジョグダイヤル
４１ａ  中心開口（中心側開口）
【図１】
2010062684.tif 000003
【図２】
2010062684.tif 000004
【図３】
2010062684.tif 000005
【図４】
2010062684.tif 000006
【図５】
2010062684.tif 000007
【図６】
2010062684.tif 000008
【図７】
2010062684.tif 000009
【図８】
2010062684.tif 000010
【図９】
2010062684.tif 000011